(57)【要約】【課題】コネクタの嵌合方向寸法を小さくする。【解決手段】コネクタ嵌合方向と直交する挿入方向から挿入され、ハウジング１２に保持される保持部１１１と、保持部１１１に連なり、コネクタ嵌合方向へ延びる接触部１１２と、保持部１１１に連なり、ＬＥＤ実装基板に接続される接続部１１３とを、コンタクト１１は有する。ハウジング１２は、ＬＥＤ実装基板に形成された孔に挿入されるハウジング本体１２１と、ハウジング本体１２１に設けられた天板部１２２とを有する。ハウジング本体１２１に、接触部１１２を収容するとともに、ケーブルコネクタを受け容れるコネクタ受容部１２１ａ，１２１ｂを設けた。天板部１２２に、コネクタ受容部１２１ａ，１２１ｂに通じるとともに、保持部１１１を収容するコンタクト収容部１２２ａを設けた。ハウジング本体１２１に、コネクタ嵌合方向と直交する挿入方向からコネクタ受容部１２１ａ，１２１ｂ及びコンタクト収容部１２２ａにコンタクト１１を挿入する溝１２１ｃが設けられている。【選択図】図４
2011129506.tif 000002
【特許請求の範囲】
【請求項１】
ハウジングと、このハウジングに挿入され、保持されるコンタクトとを備え、
基板に実装され、相手側コネクタに嵌合されるコネクタにおいて、
前記ハウジングは、前記基板に形成された被挿入部に挿入されるハウジング本体と、前記ハウジング本体に設けられた天板部とを有し、
前記コンタクトが、前記ハウジングに前記天板部の上面と平行な所定方向から挿入され、保持される保持部と、前記保持部に連なり、コネクタ嵌合方向へ延びる接触部と、前記保持部に連なり、前記基板に接続される接続部とを有し、
前記ハウジング本体には、前記接触部を収容するとともに、前記相手側コネクタを受け容れるコネクタ受容部が設けられ、
前記天板部に、前記コネクタ受容部に通じるとともに、前記保持部を収容するコンタクト収容部が設けられ、
前記ハウジング本体に、前記所定方向から前記コネクタ受容部及び前記コンタクト収容部に前記コンタクトを挿入する溝が設けられている
ことを特徴とするコネクタ。
【請求項２】
前記天板部を上方から見たときその天板部によって前記コンタクトのほぼ全体が覆い隠されることを特徴とする請求項１記載のコネクタ。
【請求項３】
前記ハウジング本体が前記被挿入部に挿入されたとき、前記ハウジング本体が前記基板の下面から下方へ突出し、前記天板部の下面が前記基板の上面と対向する
ことを特徴とする請求項１又は２記載のコネクタ。
【請求項４】
前記ハウジング本体が前記被挿入部に挿入されたとき、前記天板部の上面が前記基板の上面と平行になる
ことを特徴とする請求項１〜３のいずれか１項記載のコネクタ。
【請求項５】
前記コネクタ嵌合方向が、前記天板部の上面と直交する方向であることを特徴とする請求項１〜４のいずれか１項記載のコネクタ。
【請求項６】
前記コネクタ嵌合方向が、前記天板部の上面と平行な方向であることを特徴とする請求項１〜４のいずれか１項記載のコネクタ。
【請求項７】
前記ハウジングが白色又は白色系の樹脂で一体成形されていることを特徴とする請求項１〜６のいずれか１項記載のコネクタ。
【請求項８】
請求項１〜７のいずれか１項記載のコネクタを備えていることを特徴とする照明装置。
【発明の詳細な説明】
【技術分野】
【０００１】
この発明はコネクタ及びそのコネクタを用いた照明装置に関する。
【背景技術】
【０００２】
従来、回路基板に表面実装されるコネクタが知られている（下記特許文献１参照）。
【０００３】
このコネクタは、複数のコンタクトと、コンタクトを保持するハウジングとを備えている。
【０００４】
コンタクトは、フォーク状の接触部と、接触部に連なる基部とを有する。
【０００５】
ハウジングの中心部にはコンタクト受容開口（ハウジングの中心部を直線的に貫通する孔）が形成されている。コンタクト受容開口にはコンタクトの接触部と基部とが挿入され、コンタクトの基部はハウジングのコンタクト受容開口の内壁面に保持される。
【先行技術文献】
【特許文献】
【０００６】
【特許文献１】実開平４−１３６８７６号公報（段落００１０、００１１、図３参照）
【発明の概要】
【発明が解決しようとする課題】
【０００７】
上述のコネクタでは、ハウジングのコンタクト受容穴に対するコンタクトの基部の挿入方向とコンタクトの接触部の長手方向とが同じであるため、ハウジングの嵌合方向寸法（コネクタを回路基板のコネクタ収容穴に挿入する方向の寸法）が大きくなる。
【０００８】
したがって、ハウジングの中心部を回路基板のコネクタ収容穴に挿入したとき、ハウジングの中心部の先端部分が回路基板の一方の面から大きく突出するとともに、ハウジングの中心部の後端部分及びハウジングの翼部が回路基板の他方の面から大きく突出する。また、コンタクトの半田接続部がハウジングから突出する。その結果、例えば次のような問題が生じる。
【０００９】
例えば上述のコネクタをＬＥＤ（発光ダイオード）を利用した照明装置用のコネクタとして使用した場合、回路基板の他方の面に実装されたＬＥＤから出射された光をハウジングの中心部の後端部分及びハウジングの翼部が遮るため、点灯状態の照明装置を見たとき、コネクタが位置する部分が他の部分に較べて暗く見えるという問題があった。
【００１０】
この発明はこのような事情に鑑みてなされたもので、その課題はコネクタの基板表面からの突出寸法を小さくすることである。
【課題を解決するための手段】
【００１１】
前述の課題を解決するため請求項１記載の発明は、ハウジングと、このハウジングに挿入され、保持されるコンタクトとを備え、基板に実装され、相手側コネクタに嵌合されるコネクタにおいて、前記ハウジングは、前記基板に形成された被挿入部に挿入されるハウジング本体と、前記ハウジング本体に設けられた天板部とを有し、前記コンタクトが、前記ハウジングに前記天板部の上面と平行な所定方向から挿入され、保持される保持部と、前記保持部に連なり、コネクタ嵌合方向へ延びる接触部と、前記保持部に連なり、前記基板に接続される接続部とを有し、前記ハウジング本体には、前記接触部を収容するとともに、前記相手側コネクタを受け容れるコネクタ受容部が設けられ、前記天板部に、前記コネクタ受容部に通じるとともに、前記保持部を収容するコンタクト収容部が設けられ、前記ハウジング本体に、前記所定方向から前記コネクタ受容部及び前記コンタクト収容部に前記コンタクトを挿入する溝が設けられていることを特徴とする。
【００１２】
コンタクトの保持部が天板部の上面と平行な所定方向からハウジングに挿入されるので、ハウジングの嵌合方向寸法を小さくすることができる。
【００１３】
請求項２記載の発明は、請求項１記載のコネクタにおいて、前記天板部を上方から見たときその天板部によって前記コンタクトのほぼ全体が覆い隠されることを特徴とする。
【００１４】
請求項３記載の発明は、請求項１又は２記載のコネクタにおいて、前記ハウジング本体が前記被挿入部に挿入されたとき、前記ハウジング本体が前記基板の下面から下方へ突出し、前記天板部の下面が前記基板の上面と対向することを特徴とする。
【００１５】
請求項４記載の発明は、請求項１〜３のいずれか１項記載のコネクタにおいて、前記ハウジング本体が前記被挿入部に挿入されたとき、前記天板部の上面が前記基板の上面と平行になることを特徴とする。
【００１６】
請求項５記載の発明は、請求項１〜４のいずれか１項記載のコネクタにおいて、前記コネクタ嵌合方向が、前記天板部の上面と直交する方向であることを特徴とする。
【００１７】
請求項６記載の発明は、請求項１〜４のいずれか１項記載のコネクタにおいて、前記コネクタ嵌合方向が、前記天板部の上面と平行な方向であることを特徴とする。
【００１８】
請求項７記載の発明は、請求項１〜６のいずれか１項記載のコネクタにおいて、前記ハウジングが白色又は白色系の樹脂で一体成形されていることを特徴とする。
【００１９】
請求項８記載の発明の照明装置は、請求項１〜７のいずれか１項記載のコネクタを備えていることを特徴とする。
【発明の効果】
【００２０】
この発明によれば、コネクタの基板表面からの突出寸法を小さくすることができる。
【図面の簡単な説明】
【００２１】
【図１】図１はこの発明の第１実施形態のコネクタを斜め上方から見た斜視図である。
【図２】図２は図１に示すコネクタを斜め下方から見た斜視図である。
【図３】図３は図１に示すコネクタの縦断面図である。
【図４】図４は図１に示すコネクタの分解斜視図である。
【図５】図５は図３のＶ−Ｖ線に沿う断面図である。
【図６】図６は図１に示すコネクタを使用したＬＥＤ電球の分解斜視図である。
【図７】図７は図６に示すＬＥＤ電球のＬＥＤ実装基板を斜め上方から見た斜視図である。
【図８】図８は図６に示すＬＥＤ電球のＬＥＤ実装基板を斜め下方から見た斜視図である。
【図９】図９は図１に示すコネクタとこのコネクタに嵌合されるケーブルコネクタとの斜視図である。
【図１０】図１０はこの発明の第２実施形態のコネクタを斜め上方から見た斜視図である。
【図１１】図１１は図１０に示すコネクタを斜め下方から見た斜視図である。
【図１２】図１２は図１０に示すコネクタの縦断面図である。
【図１３】図１３は図１０に示すコネクタの分解斜視図である。
【図１４】図１４は図１２のXIV−XIV線に沿う断面図である。
【図１５】図１５はＬＥＤ実装基板を斜め上方から見た斜視図である。
【図１６】図１６はＬＥＤ実装基板を斜め下方から見た斜視図である。
【図１７】図１７は図１０に示すコネクタとこのコネクタに嵌合されるケーブルコネクタとの斜視図である。
【図１８】図１８はこの発明の第３実施形態のコネクタを斜め上方から見た斜視図である。
【図１９】図１９は図１８に示すコネクタを斜め下方から見た斜視図である。
【図２０】図２０は図１８に示すコネクタの縦断面図である。
【図２１】図２１は図１８に示すコネクタの正面図である。
【図２２】図２２は図２１のXXII−XXII線に沿う断面図である。
【図２３】図２３は図１８に示すコネクタの分解斜視図である。
【図２４】図２４は図２０のXXIV−XXIV線に沿う断面図である。
【図２５】図２５は図１８に示すコネクタとプリント基板とが嵌合している状態を示す斜視図である。
【図２６】図２６は図１８に示すコネクタとプリント基板とが嵌合する前の状態を示す斜視図である。
【図２７】図２７はこの発明の第４実施形態のコネクタを斜め上方から見た斜視図である。
【図２８】図２８は図２７に示すコネクタを斜め下方から見た斜視図である。
【図２９】図２９は図２７に示すコネクタの正面図である。
【図３０】図３０は図２９に示すXXX-XXX線に沿う断面図である。
【図３１】図３１は図２７に示すコネクタの分解斜視図である。
【図３２】図３２は図２７に示すコネクタをＬＥＤ実装基板に実装する前の状態を示す斜視図である。
【図３３】図３３はＬＥＤ実装基板に実装された図２７に示すコネクタにケーブルコネクタを接続する前の状態を斜め下方から見た斜視図である。
【図３４】図３４はＬＥＤ実装基板に実装された図２７に示すコネクタにケーブルコネクタを接続した状態を斜め下方から見た斜視図である。
【図３５】図３５はＬＥＤ実装基板に実装された図２７に示すコネクタにケーブルコネクタを接続した状態を斜め上方から見た斜視図である。
【発明を実施するための形態】
【００２２】
以下、この発明の実施の形態を説明する。
【００２３】
まず、この発明の第１実施形態のコネクタを図１〜図９に基づいて説明する。
【００２４】
図６はＬＥＤ電球（照明装置）１０の分解斜視図であり、ＬＥＤ電球１０に第１実施形態のコネクタ１が使用されている。
【００２５】
ＬＥＤ電球１０は、ハウジング２と、ハウジング２に収容される電源基板３及びＬＥＤ実装基板（基板）４と、ＬＥＤ実装基板４に実装されるコネクタ１と、コネクタ１と嵌合するケーブルコネクタ（相手側コネクタ）５と、ハウジング２の先端部に装着される電球カバー６とを備えている。
【００２６】
ハウジング２の後端部には口金２ａが装着されている。
【００２７】
電源基板３は交流を直流に電力変換するコンバータ基板である。
【００２８】
ＬＥＤ実装基板４はほぼ円板状である。ＬＥＤ実装基板４は例えばアルミニウム板を張り合わせて形成される。ＬＥＤ実装基板４の材料として、アルミニウムのほかに、アルミナなどのセラミックスを用いてもよい。ＬＥＤ実装基板４は複数のねじ７でハウジング２に固定される。ＬＥＤ実装基板４の上面４ａ（ＬＥＤ８が実装される側の面）には複数のＬＥＤ８が周方向へ等間隔に実装されている。ＬＥＤ実装基板４には、後述するコネクタ１のハウジング１２のハウジング本体１２１（図１、図２参照）を挿入するための１つの孔（被挿入部）４ｂが設けられている。孔４ｂは、コネクタ１のハウジング本体１２１の横断面形状に対応する形と、ハウジング本体１２１を受け容れる大きさとを有する。ＬＥＤ実装基板４の外周部には、ねじ７を通すための４つの切欠き４ｄが周方向へ等間隔に設けられている。
【００２９】
電球カバー６は半球体状である。電球カバー６はハウジング２の先端部に固定される。
ＬＥＤ実装基板４の上方空間は電球カバー６に覆われる。
【００３０】
図９に示すように、ケーブルコネクタ５はハウジング５０を備えている。ハウジング５０に、ケーブル９の一端部とその一端部に装着されたコンタクト（図示せず）とを収容する収容部（図示せず）が形成されている。ハウジング５０は箱状のハウジング本体部５１とハウジング本体部５１に連なる２つの角筒状の嵌合部５２，５３とを有する。嵌合部５２，５３の先端部には、後述するコンタクト１１の接触部１１２を嵌合部５２，５３内に受け容れるための孔５２ａ，５３ａが設けられている。嵌合部５３の側面部には、同じ極性同士の接続を実現できるよう、後述するコネクタ１のハウジング本体１２１のキー溝１２１ｆ（図２参照）に嵌合されるキー５３ｃが設けられている。キー５３ｃは嵌合部５２側へ突出している。なお、ケーブル９の他端部は電源基板３に接続されている。また、複数のＬＥＤ８をブリッジ回路にすれば電源基板３を用いず、ケーブル９を口金２ａから外部へ出すことができる。嵌合部５２，５３はランス５２ｄ，５３ｄを有する。ランス５２ｄ，５３ｄの先端部近傍から、ケーブル９の一端部に装着されたコンタクトの一部５００（図９参照）が露出している。
【００３１】
図１〜図４に示すように、コネクタ１は、２つのコンタクト１１と、これらのコンタクト１１を保持するハウジング１２とを備えている。２つのコンタクト１１は同じ種類のコンタクトであり、ハウジング１２に点対称に配置される（図５参照）。
【００３２】
ハウジング１２は、ＬＥＤ実装基板４の孔４ｂに挿入される箱状のハウジング本体１２１と、ハウジング本体１２１に連なる平板状の天板部１２２とを有する。ハウジング１２は例えば白色の樹脂で一体成形されている。
【００３３】
コンタクト１１は、天板部１２２に保持される平板状の保持部１１１と、保持部１１１に連なり、コネクタ嵌合方向Ｄ１（図２参照）へ延びるピン状の接触部１１２と、保持部１１１に連なり、ＬＥＤ実装基板４のランド４ａａ（図６参照）に半田付けされるＬ字状の接続部１１３とを有する。保持部１１１は突起部１１１ａを有する。保持部１１１が後述するハウジング１２のコンタクト収容部１２２ａに挿入されたとき、突起部１１１ａはハウジング１２のコンタクト収容部１２２ａの内壁面に食い込む（図５参照）。
【００３４】
コンタクト１１は１つの金属板を打抜き加工及び曲げ加工することにより形成されている。
【００３５】
ハウジング本体１２１には、コンタクト１１の接触部１１２を収容するとともに、ケーブルコネクタ５を受け容れるコネクタ受容部１２１ａ，１２１ｂが設けられている。
【００３６】
天板部１２２には、コネクタ受容部１２１ａ，１２１ｂに通じるとともに、少なくともコンタクト１１の保持部１１１を収容するコンタクト収容部１２２ａが設けられている。
【００３７】
ハウジング本体１２１には、コネクタ受容部１２１ａ，１２１ｂ及びコンタクト収容部１２２ａに挿入方向（所定方向）Ｄ２（図２参照）からコンタクト１１を挿入する溝１２１ｃが設けられている。
【００３８】
ハウジング本体１２１は、コネクタ１のＤ３方向（図１参照）へ側面１２１ｄから突出するキー１２１ｅを有する。キー１２１ｅは嵌合方向Ｄ１へ延びる。コネクタ１のハウジング本体１２１の横断面形状はＬＥＤ実装基板４の孔４ｂの平面形状に対応している。ハウジング本体１２１をＬＥＤ実装基板４の孔４ｂに挿入するときのハウジング本体１２１の向きが正しくなければ、ハウジング本体１２１をＬＥＤ実装基板４の孔４ｂに挿入することができない。同じ極性同士の接続を実現できるよう、ハウジング本体１２１の誤挿入が阻止される。
【００３９】
ハウジング本体１２１がＬＥＤ実装基板４の孔４ｂに挿入されたとき、天板部１２２の上面１２２ｂはＬＥＤ実装基板４の上面４ａとほぼ平行になり、ハウジング本体１２１の前端部（孔４ｂに対するハウジング１２の嵌合方向Ｄ１の前側の部分）はＬＥＤ実装基板４の下面４ｃ（図８参照）から下方へ突出し、天板部１２２の下面１２２ｃはＬＥＤ実装基板４の上面４ａと対向する。天板部１２２をほぼ真上から見たとき、その天板部１２２によってコンタクト１１のほぼ全体が隠される。天板部１２２にそのほぼ真上から光をあてたとき投影面（ＬＥＤ実装基板４の上面４ａ）に描かれる天板部１２２の投影画像のエリア内に接続部１１３が位置するので、天板部１２２をほぼ真上から見たとき接続部１１３は天板部１２２によってほぼ全体が隠される。
【００４０】
次に、ＬＥＤ電球１０の組立を説明する。
【００４１】
上記組立の前に、予め、ＬＥＤ実装基板４の上面４ａの所定の位置に配置されたＬＥＤ８やコネクタ１などを例えばリフロー炉を使用して半田付けしておく。この工程で、コンタクト１１の接続部１１３がＬＥＤ実装基板４のランド４ａａに半田付けされる。
【００４２】
ＬＥＤ電球１０を組み立てるには、まず、電源基板３をハウジング２に収容し、固定する。
【００４３】
次に、ＬＥＤ実装基板４に実装されたコネクタ１にケーブルコネクタ５を嵌合する。
【００４４】
その後、ＬＥＤ８やコネクタ１が実装されたＬＥＤ実装基板４をハウジング２の先端部側に位置する支持部２ｂに配置する。このときＬＥＤ実装基板４の切欠き４ｄを支持部２ｂのねじ穴２ｃに合わせる。
【００４５】
次に、ねじ７を切欠き４ｄを通じてねじ穴２ｃにねじ込む。
【００４６】
最後に、電球カバー６をハウジング２の先端部の支持部２ｂに装着する。
【００４７】
以上の工程を経てＬＥＤ電球１０の組立が完了する。
【００４８】
第１実施形態によれば、ハウジング１２のコンタクト収容部１２２ａに対するコンタクト１１の挿入方向Ｄ２とコンタクト１１の接触部１１２の長手方向とがほぼ直交するため、ハウジング１２の嵌合方向寸法が小さくなり、コネクタ１の嵌合方向寸法が小さくなる。その結果、上述のようにコネクタ１をＬＥＤ電球１０用のコネクタ１として使用した場合、ハウジング１２がＬＥＤ実装基板４の上面４ａから大きく突出せず、ＬＥＤ実装基板４に実装されたコネクタ１によって遮られるＬＥＤ８の光の量が減るので、ユーザが点灯状態のＬＥＤ電球１０を見たとき、コネクタ１の位置する部分が他の部分に較べて暗く見えることはない。
【００４９】
更に、従来のコネクタではコンタクトの回路基板との接続部がハウジングから突出し、回路基板の上方から見た場合に露出していたため、点灯状態の照明装置を見たとき、コンタクトの接続部の露出した部分が他の部分に比べて暗く見えるという問題があったが、本実施形態のコネクタでは、天板部１２２をほぼ真上から見たとき、投影面（ＬＥＤ実装基板４の上面４ａ）に描かれる天板部１２２の投影画像のエリア内に接続部１１３が位置するので、接続部１１３のほぼ全体が天板部１２２の下に隠れ、コンタクト１１の接続部１１３の位置する部分が他の部分に較べて暗く見えることはない。もし接続部１１３の一部が露出したとしても、その露出部分が少なければ、接続部１１３の位置する部分が暗く見えることはない。
【００５０】
また、ハウジング１２は白色又は白色系の樹脂で一体成形されているので、ハウジング１２の天板部１２２が他の部分に較べて暗く見えるのを防ぐことができる。
【００５１】
更に、コンタクト１１は２つの接続部１１３を有しているので、コンタクト１１の安定化のための特別な部材が不要になる。
【００５２】
また、ハウジング本体１２１に設ける溝１２１ｃの幅をコンタクト１１の板厚よりわずかに大きくすればよいのでハウジング１２の強度の低下を抑えることができる。
【００５３】
次に、この発明の第２実施形態のコネクタを図１０〜図１７に基づいて説明する。第２実施形態と第１実施形態とに共通する部分には同一符号を付してその説明を省略する。
【００５４】
図１０〜図１６に示すように、コネクタ２０１は、コンタクト２０１１と、コンタクト２０１１を保持するハウジング２０１２とを備えている。
【００５５】
ハウジング２０１２は、ＬＥＤ実装基板４の孔（被挿入部）２０４ｂに挿入される箱状のハウジング本体２１２１と、ハウジング本体２１２１に連なる平板状の天板部２１２２とを有する。
【００５６】
コンタクト２０１１は、天板部２１２２に保持される平板状の保持部２１１１と、保持部２１１１に連なり、保持部２１１１に対してほぼ直角の方向へ延びるピン状の接触部２１１２と、保持部２１１１に連なり、ＬＥＤ実装基板４のランド４ａａに半田付けされる２つのＬ字状の接続部２１１３とを有する。保持部２１１１は突起部２１１１ａを有する。保持部２１１１がコンタクト収容部２１２２ａに挿入されたとき、突起部２１１１ａはコンタクト収容部２１２２ａの内壁面に食い込む。
【００５７】
ハウジング本体２１２１には、接触部２１１２を収容するとともに、ケーブルコネクタ（相手側コネクタ）２０５を受け容れるコネクタ受容部２１２１ａが設けられている。
【００５８】
天板部２１２２には、コネクタ受容部２１２１ａに通じるとともに、少なくともコンタクト２０１１の保持部２１１１を収容するコンタクト収容部２１２２ａが設けられている。
【００５９】
ハウジング本体２１２１の正面部には、コネクタ受容部２１２１ａ及びコンタクト収容部２１２２ａにコネクタ嵌合方向Ｄ１（図１３参照）と直交する挿入方向Ｄ２からコンタクト２０１１を挿入させる溝２１２１ｃが設けられている。
【００６０】
更に、図１７に示すように、ハウジング本体２１２１は、コネクタ２０１のＤ４方向へ突出するキー２１２１ｅを有する。キー２１２１ｅはコネクタ嵌合方向Ｄ１へ延びる。コネクタ２０１のハウジング本体２１２１の横断面形状はＬＥＤ実装基板４の孔２０４ｂに対応する。キー２１２１ｅの中央部には、ケーブルコネクタ（相手側コネクタ）２０５のロック部２０５４のロック用爪部２０５４ａが係合する凹部状の係合部２１２１ｇが設けられている。ハウジング本体２１２１の内周面には、ケーブルコネクタ２０５の嵌合部２０５３に設けられたキー２０５３ｃが嵌合されるキー溝２１２１ｆ（図１３参照）が設けられている。
【００６１】
ハウジング本体２１２１がＬＥＤ実装基板４の孔２０４ｂに挿入されたとき、天板部２１２２の上面２１２２ｂはＬＥＤ実装基板４の上面４ａとほぼ平行になり、ハウジング本体２１２１の前端部はＬＥＤ実装基板４の下面４ｃ（図１６参照）から下方へ突出し、天板部２１２２の下面２１２２ｃはＬＥＤ実装基板４の上面４ａと対向する。天板部２１２２をほぼ真上から見たとき、その天板部２１２２によってコンタクト２０１１のほぼ全体が隠れる。天板部２１２２にそのほぼ真上から光をあてたとき、投影面（ＬＥＤ実装基板４の上面４ａ）に描かれる天板部２１２２の投影画像のエリア内に接続部２１１３が位置するので、接続部２１１３は天板部２１２２の下にほぼ隠れる。
【００６２】
第２実施形態によれば、第１実施形態と同様の効果を奏する。
【００６３】
次に、この発明の第３実施形態のコネクタを図１８〜図２６に基づいて説明する。第３実施形態と第１、第２実施形態とに共通する部分には同一符号を付してその説明を省略する。
【００６４】
図１８〜図２４に示すように、コネクタ３０１は、コンタクト３０１１と、コンタクト３０１１を保持するハウジング３０１２とを備えている。なお、コネクタ３０１が実装されるＬＥＤ実装基板（基板）は、図３３のＬＥＤ実装基板４０４と同様に中央部に孔（被挿入部）を有する基板（図示せず）である。
【００６５】
ハウジング３０１２は、図示しないＬＥＤ実装基板のコネクタ挿入用の孔（被挿入部）に挿入される箱状のハウジング本体３１２１と、ハウジング本体３１２１に連なる平板状の天板部３１２２とを有する。
【００６６】
コンタクト３０１１は、図２３に示すように、天板部３１２２に保持される平板状の保持部３１１１と、保持部３１１１に連なり、保持部３１１１に対してほぼ直角の方向へ延びる二股状の接触部３１１２と、保持部３１１１に連なり、ＬＥＤ実装基板のランド（図示せず）に半田付けされる２つのＬ字状の接続部３１１３とを有する。保持部３１１１は突起部３１１１ａを有する。保持部３１１１が天板部３１２２の後述するコンタクト収容部３１２２ａに挿入されたとき、突起部３１１１ａはコンタクト収容部３１２２ａの内壁面に食い込む。
【００６７】
ハウジング本体３１２１には、コンタクト３０１１の接触部３１１２を収容するとともに、電源基板３０３のエッジコネクタ部（相手側コネクタ）３０３ａ（図２５、図２６参照）を受け容れるコネクタ受容部３１２１ａが設けられている。エッジコネクタ部３０３ａには、コンタクト３０１１の接触部３１１２に接触する電極３０３ｂが形成されている。電源基板３０３はＬＥＤ実装基板（図示せず）に対して垂直に配置される。
【００６８】
天板部３１２２には、コネクタ受容部３１２１ａに通じるとともに、コンタクト３０１１の少なくとも保持部３１１１を収容するコンタクト収容部３１２２ａ（図２３参照）が設けられている。
【００６９】
ハウジング本体３１２１の正面部には、コネクタ受容部３１２１ａに通じ、コネクタ嵌合方向Ｄ１（図１８参照）と直交する挿入方向Ｄ２（図１８参照）からコンタクト３０１１を挿入させる溝３１２１ｃが設けられている。
【００７０】
ハウジング本体３１２１はキー溝３１２１ｉを有する。キー溝３１２１ｉはコネクタ嵌合方向Ｄ１へ延びる。キー溝３１２１ｉにはＬＥＤ実装基板のコネクタ挿入用の孔（図示せず）に突出するようにＬＥＤ実装基板に設けられたキー（図示せず）が挿入される。コネクタ３０１のハウジング本体３１２１の横断面形状はＬＥＤ実装基板のコネクタ挿入用の孔に対応する。
【００７１】
ハウジング本体３１２１内には仕切り３１２１ｊが形成されている。電源基板３０３には、仕切り３１２１ｊとの干渉を避けるための溝３０３ｃ（図２６参照）が形成されている。
【００７２】
ハウジング本体３１２１がＬＥＤ実装基板（図示せず）のコネクタ挿入用の孔に挿入されたとき、天板部３１２２の上面３１２２ｂはＬＥＤ実装基板の上面とほぼ平行になり、ハウジング本体３１２１の前端部はＬＥＤ実装基板の下面から下方へ突出し、天板部３１２２の下面３１２２ｃはＬＥＤ実装基板の上面と対向する。天板部３１２２をほぼ真上から見たとき、その天板部３１２２によってコンタクト３０１１のほぼ全体が隠される。天板部３１２２にそのほぼ真上から光をあてたとき、投影面（ＬＥＤ実装基板の上面）に描かれる天板部３１２２の投影画像のエリア内に接続部３１１３が位置するので、接続部３１１３は天板部３１２２にほぼ隠れる。
【００７３】
第３実施形態によれば、第１実施形態と同様の効果を奏するとともに、ケーブルコネクタ及びケーブルを用いずにＬＥＤ実装基板と電源基板３０３とを電気的に接続することができる。
【００７４】
次に、この発明の第４実施形態のコネクタを図２７〜図３５に基づいて説明する。第４実施形態と第１実施形態とに共通する部分には同一符号を付してその説明を省略する。
【００７５】
図２７〜図３１に示すように、コネクタ４０１は、コンタクト４０１１と、コンタクト４０１１を保持するハウジング４０１２とを備えている。第１〜第３実施形態では、ハウジング１２，２０１２，３０１２に対するコンタクト１１，２０１１，３０１１の挿入方向Ｄ２とコネクタ１，２０１，３０１のコネクタ嵌合方向Ｄ１とが直交しているが、第４実施形態では、ハウジング４０１２に対するコンタクト４０１１の挿入方向Ｄ２（図２７参照）とコネクタ４０１のコネクタ嵌合方向Ｄ１´（図２７参照）とが平行である。
【００７６】
ハウジング４０１２は、ＬＥＤ実装基板（基板）４０４の孔（被挿入部）４０４ｂに挿入される箱状のハウジング本体４１２１と、ハウジング本体４１２１に連なる平板状の天板部４１２２とを有する。
【００７７】
コンタクト４０１１は、図３１に示すように、天板部４１２２に保持される平板状の保持部４１１１と、連結部４１１４を介して保持部４１１１に連なり、保持部４１１１に対してほぼ平行な方向へ延びるピン状の接触部４１１２と、保持部４１１１に連なり、ＬＥＤ実装基板４０４のランド４０４ａａ（図３２参照）に半田付けされる２つのＬ字状の接続部４１１３とを有する。連結部４１１４は保持部４１１１と接触部４１１２とを連結する。保持部４１１１は突起部４１１１ａを有する。保持部４１１１が後述するコンタクト収容部４１２２ａに挿入されたとき、突起部４１１１ａはコンタクト収容部４１２２ａの内壁面に食い込む。
【００７８】
ハウジング本体４１２１には、接触部４１１２を収容するとともに、ケーブルコネクタ（相手側コネクタ）４０５（図３２参照）を受け容れるコネクタ受容部４１２１ａが設けられている。上述のように、コネクタ嵌合方向Ｄ１´は挿入方向Ｄ２と平行であり、コネクタ受容部４１２１ａはハウジング本体４１２１の正面で開口する。
【００７９】
天板部４１２２には、コネクタ受容部４１２１ａに通じるとともに、コンタクト４０１１の少なくとも保持部４１１１を収容するコンタクト収容部４１２２ａが設けられている（図３１参照）。
【００８０】
ハウジング本体４１２１には、コネクタ嵌合方向Ｄ１´と平行な挿入方向Ｄ２からコンタクト４０１１をハウジング４０１２に挿入させる溝４１２１ｃが設けられている（図３１参照）。
【００８１】
コネクタ４０１のハウジング本体４１２１の横断面形状はＬＥＤ実装基板４０４の孔４０４ｂに対応する（図３２参照）。ハウジング本体４１２１の両側面部には、ケーブルコネクタ４０５（図３２、図３３参照）のロック部４０５４のロック用爪部４０５４ａが係合する孔形状の係合部４１２１ｇが設けられている（図２７、図２８参照）。
【００８２】
図３２に示すように、コネクタ４０１をＬＥＤ実装基板４０４に実装するには、コネクタ４０１のハウジング４０１２のハウジング本体４１２１をＬＥＤ実装基板４０４の孔４０４ｂに挿入し、その後、コンタクト４０１１の接続部４１１３をＬＥＤ実装基板４０４のランド４０４ａａに半田付け（例えばリフロー半田付け）すればよい。
【００８３】
図３３、図３４に示すように、コネクタ４０１にケーブルコネクタ４０５を嵌合するには、ケーブルコネクタ４０５の嵌合部４５２ａをコネクタ４０１のコネクタ受容部４１２１ａに挿入すればよい。コネクタ４０１に嵌合されたケーブルコネクタ４０５のロック部４０５４のロック用爪部４０５４ａはコネクタ４０１の係合部４１２１ｇに引っ掛かり、ケーブルコネクタ４０５はコネクタ４０１に固定される。
【００８４】
図３４、図３５に示すように、ハウジング本体４１２１がＬＥＤ実装基板４０４の孔４０４ｂに挿入されたとき、天板部４１２２の上面４１２２ｂはＬＥＤ実装基板４０４の上面４０４ａとほぼ平行になり、コネクタ上下方向Ｄ４におけるハウジング本体４１２１の下部はＬＥＤ実装基板４０４の下面４０４ｃから下方へ突出し、天板部４１２２の下面４１２２ｃ（図２８参照）はＬＥＤ実装基板４０４の上面４０４ａと対向する。天板部４１２２をほぼ真上から見たとき、その天板部４１２２によってコンタクト４０１１のほぼ全体が隠れる。天板部４１２２にそのほぼ真上から光をあてたとき、投影面（ＬＥＤ実装基板４０４の上面４０４ａ）に描かれる天板部４１２２の投影画像のエリア内に接続部４１１３が位置するので、接続部４１１３は天板部４１２２の下にほぼ隠れる。
【００８５】
第４実施形態によれば、第１実施形態と同様の効果を奏する。
【００８６】
なお、上述の実施形態では、被挿入部として孔４ｂ，２０４ｂ，４０４ｂが採用されているが、孔４ｂ，２０４ｂ，４０４ｂに代えてＬＥＤ実装基板４０４の外周縁に切欠き（図示せず）を設けてもよい。
【符号の説明】
【００８７】
１，２０１，３０１，４０１  コネクタ
４，４０４  ＬＥＤ実装基板（基板）
４ａ，４０４ａ  上面
４ｂ，２０４ｂ，４０４ｂ  孔（被挿入部）
４ｃ，４０４ｃ  下面
５，２０５，４０５  ケーブルコネクタ（相手側コネクタ）
３０３ａ  エッジコネクタ部（相手側コネクタ）
１１，２０１１，３０１１，４０１１  コンタクト
１１１，２１１１，３１１１，４１１１  保持部
１１２，２１１２，３１１２，４１１２  接触部
１１３，２１１３，３１１３，４１１３  接続部
１２，２０１２，３０１２，４０１２  ハウジング
１２１，２１２１，３１２１，４１２１  ハウジング本体
１２１ａ，１２１ｂ，２１２１ａ，３１２１ａ，４１２１ａ  コネクタ受容部
１２１ｃ，２１２１ｃ，３１２１ｃ，４１２１ｃ  溝
１２２，２１２２，３１２２，４１２２  天板部
１２２ａ，２１２２ａ，３１２２ａ，４１２２ａ  コンタクト収容部
１２２ｂ，２１２２ｂ，３１２２ｂ，４１２２ｂ  上面
１２２ｃ，２１２２ｃ，３１２２ｃ，４１２２ｃ  下面
Ｄ１，Ｄ１´  コネクタ嵌合方向
Ｄ２  挿入方向（所定方向）
【図１】
2011129506.tif 000003
【図２】
2011129506.tif 000004
【図３】
2011129506.tif 000005
【図４】
2011129506.tif 000006
【図５】
2011129506.tif 000007
【図６】
2011129506.tif 000008
【図７】
2011129506.tif 000009
【図８】
2011129506.tif 000010
【図９】
2011129506.tif 000011
【図１０】
2011129506.tif 000012
【図１１】
2011129506.tif 000013
【図１２】
2011129506.tif 000014
【図１３】
2011129506.tif 000015
【図１４】
2011129506.tif 000016
【図１５】
2011129506.tif 000017
【図１６】
2011129506.tif 000018
【図１７】
2011129506.tif 000019
【図１８】
2011129506.tif 000020
【図１９】
2011129506.tif 000021
【図２０】
2011129506.tif 000022
【図２１】
2011129506.tif 000023
【図２２】
2011129506.tif 000024
【図２３】
2011129506.tif 000025
【図２４】
2011129506.tif 000026
【図２５】
2011129506.tif 000027
【図２６】
2011129506.tif 000028
【図２７】
2011129506.tif 000029
【図２８】
2011129506.tif 000030
【図２９】
2011129506.tif 000031
【図３０】
2011129506.tif 000032
【図３１】
2011129506.tif 000033
【図３２】
2011129506.tif 000034
【図３３】
2011129506.tif 000035
【図３４】
2011129506.tif 000036
【図３５】
2011129506.tif 000037
【手続補正書】
【提出日】平成22年10月4日(2010.10.4)
【手続補正１】
【補正対象書類名】図面
【補正対象項目名】図２７
【補正方法】変更
【補正の内容】
【図２７】
2011129506.tif 000038
【手続補正２】
【補正対象書類名】図面
【補正対象項目名】図２８
【補正方法】変更
【補正の内容】
【図２８】
2011129506.tif 000039
【手続補正３】
【補正対象書類名】図面
【補正対象項目名】図３１
【補正方法】変更
【補正の内容】
【図３１】
2011129506.tif 000040
【手続補正４】
【補正対象書類名】図面
【補正対象項目名】図３３
【補正方法】変更
【補正の内容】
【図３３】
2011129506.tif 000041